(57)【要約】【課題】異なる経路で受信した信号のうち、いずれが最も品質が良いかを、同じ送信順序を示すフレームごとに判定する。【解決手段】本発明に係る無線通信システムは、複数の無線通信装置を含み、複数の無線通信装置それぞれは、予め決められた形式の伝送フレームに、伝送の対象となる伝送データと、伝送フレームの送信順序を示す送信順序データとを収容して、他の前記無線通信装置に対して、直接、および、予め決められた１つ以上の中継基地局を介して、伝送信号として送信する送信手段と、これらの信号を受信する受信手段と、伝送信号に収容された伝送データおよび送信順序データまたはこれらのいずれかの誤り率に基づいて、これらの伝送信号のいずれが最も品質が良いかを判定する品質判定手段と、最も品質が良いと判定された伝送信号から得られた伝送フレームに収容された伝送データを復号して出力する出力手段とを有する。【選択図】図３
2010263339.tif 000002
【特許請求の範囲】
【請求項１】
複数の無線通信装置を含む無線通信システムであって、
前記複数の無線通信装置それぞれは、
予め決められた形式の伝送フレームに、伝送の対象となる伝送データと、前記伝送フレームの送信順序を示す送信順序データとを収容して、他の前記無線通信装置に対して、直接、および、予め決められた１つ以上の中継基地局を介して、伝送信号として送信する送信手段と、
他の無線通信装置からの前記伝送信号を、直接、および、前記１つ以上の前記中継基地局を介して受信する受信手段と、
前記受信した前記伝送信号に収容された前記伝送データおよび前記送信順序データまたはこれらのいずれかの誤り率に基づいて、前記他の無線通信装置から直接受信した伝送信号、および、前記１つ以上の前記中継基地局を介して受信した前記伝送信号のいずれが最も品質が良いかを判定する品質判定手段と、
同じ前記伝送順序データを収容する前記伝送フレームの内、前記最も品質が良いと判定された伝送信号から得られた伝送フレームに収容された伝送データを出力する出力手段と
を有する無線通信システム。
【発明の詳細な説明】
【技術分野】
【０００１】
本発明は、複数の無線通信装置間、または、無線通信装置と固定端末との間で、文字情報、画像情報、音声情報などのデータを送受信する無線通信システムに関する。
【背景技術】
【０００２】
例えば、特許文献１は、移動局間で直接通信を行う機能と、基地局を経由して無線通信を行う間接通信機能とを備えた移動通信システムを開示する。
また、特許文献２は、複数の経路のうち通信品質の良い経路を選択する無線端末装置を開示する。
【先行技術文献】
【特許文献】
【０００３】
【特許文献１】特開２００６−３０３６５６
【特許文献２】特開２００７−６８１１８
【発明の概要】
【発明が解決しようとする課題】
【０００４】
本発明は、上述のような背景からなされたものであり、異なる経路で受信した信号のうち、いずれが最も品質が良いかを、同じ送信順序を示すフレームごとに判定することにより、安定した無線通信を行えるよう改良された無線通信システムを提供することを目的とする。
【課題を解決するための手段】
【０００５】
上記目的を達成するために、本発明に係る無線システム（１）は、複数の無線通信装置（２）を含む無線通信システムであって、前記複数の無線通信装置それぞれは、予め決められた形式の伝送フレームに、伝送の対象となる伝送データと、前記伝送フレームの送信順序を示す送信順序データとを収容して（２１４）、他の前記無線通信装置に対して、直接、および、予め決められた１つ以上の中継基地局を介して、伝送信号として送信する送信手段と（２１６）、他の無線通信装置からの前記伝送信号を、直接、および、前記１つ以上の前記中継基地局を介して受信する受信手段（２１８，２２０）と、前記受信した前記伝送信号に収容された前記伝送データおよび前記送信順序データまたはこれらのいずれかの誤り率に基づいて、前記他の無線通信装置から直接受信した前記伝送信号、および、前記１つ以上の前記中継基地局を介して受信した前記伝送信号のいずれが最も品質が良いかを判定する品質判定手段（２２２，２２４，２２８）と、同じ前記伝送順序データを収容する前記伝送フレームの内、前記最も品質が良いと判定された伝送信号から得られた伝送フレームに収容された前記伝送データを出力する出力手段（２０４）とを有する。
なお、ここで付された符号は、本願発明の理解を助けることを意図するものであり、本願発明の技術的範囲を限定することを意図するものではない。
【発明の効果】
【０００６】
本発明に係る無線通信システムによれば、異なる経路で受信した信号のうち、いずれが最も品質が良いかを、同じ送信順序を示すフレームごとに判定することにより、安定した無線通信を行うことができる。
【図面の簡単な説明】
【０００７】
【図１】（Ａ）は、一般的な無線通信システムの構成を例示する図であり、（Ｂ）は、無線チャネルの構成および通信用チャネルのフォーマットを例示する図であり、（Ｃ）は、（Ａ）に示した無線基地局からの信号の受信遅延を例示する図である。
【図２】（Ａ）は、本発明に係る無線通信システムの構成を例示する図であり、（Ｂ）は、（Ａ）に示した移動端末のハードウェア構成を例示する図である。
【図３】（Ａ）は、図２に示した移動端末上で実行される送信側移動端末プログラムの構成を例示する図であり、（Ｂ）は、図２に示した移動端末上で実行される受信側移動端末プログラムの構成を例示する図である。
【図４】無線情報チャネルの構成を例示する図である。
【図５】空中線共用器を介して信号を受信する移動端末上で実行される移動端末プログラムの構成を例示する図である。
【発明を実施するための形態】
【０００８】
［本発明の背景］
以下、本発明に係る無線通信システム１の説明に先立ち、その理解を助けるために、一般的な無線通信システムを示して、本願発明がなされるに至った背景について説明する。
図１（Ａ）は、一般的な無線通信システム（例えば、ＳＣＰＣ（Single Channel Per Carrier）方式のデジタル移動通信システム）の構成を例示する図である。
図１（Ａ）に示すように、一般的な無線通信システムは、互いに無線通信を行う移動端末１０８−１〜１０８−ｎ、予め決められたサービスエリア１１０−１〜１１０−ｎそれぞれに存在し、同じサービスエリア内に存在する移動端末間、および、異なるサービスエリアに存在する移動端末間で無線通信回線を介したデータ送受信を行う無線基地局１０６−１〜１０６−ｎ、無線通信回線の制御を行う無線回線制御装置１０４、および、無線通信を行う通話装置としての固定端末１０２が、有線および無線通信の両方に対応したネットワーク１００を介して接続される。
なお、ｎは１以上の整数を示すが、すべてのｎが常に同じ数を示すとは限らない。
また、以下、移動端末１０８−１〜１０８−ｎなど、複数ある構成部分のいずれか１つ以上を特定せずに示すときには、単に移動端末１０８などと略記することがある。
以下、各図において実質的に同じ構成部分には同じ符号が付される。
【０００９】
次に、一般的な無線通信システムにおいて、データの送受信に用いる無線チャネルについて説明する。
図１（Ｂ）は、無線チャネルの構成および無線チャネルの構成に含まれる通信用チャネル（ＳＣ：Service Channel）の構成を例示する図である。
図１（Ｂ）に示すように、無線チャネルは、所定の長さ（例えば、４０ｍｓ）のフレームを最小単位とするフレームの集合で構成される。
例えば、図１（Ｂ）に示すように、無線チャネルは、同期バースト（ＳＢ０：Synchronous Burst 0）および通信用チャネルＳＣという２つの異なるフォーマットのフレーム集合で構成される。
【００１０】
ＳＢ０は、通信開始時に、受信側の移動端末１０８または無線基地局１０６と同期を行うためのバーストデータを収容し、ＳＣは、音声データや冗長データなどの様々なデータを収容する。
図１（Ｂ）に示すように、ＳＣは、無線チャネルの動作モードや通信モードなどの情報領域を示す無線情報チャネル（ＲＩＣＨ：Radio Information Channel）、トラフィックデータ領域を示すトラフィックチャネル（ＴＣＨ:Traffic Channel）などから構成される。
なお、各領域に示された括弧内の数字は、その領域のために確保されるビット数を示す。
【００１１】
一般的な無線通信システムにおいて、音声通信などの無線通信処理が開始すると、例えば、図１（Ｂ）に示すように、まず、送信側の移動端末１０８は、フレームＳＢ０を、ＳＢ０−１、ＳＢ０−２、ＳＢ０−３として、受信側の移動端末１０８または無線基地局１０６へ３回送信して、受信側の移動端末１０８と同期を行う。
次に、送信側の移動端末１０８は、１つ以上のフレームＳＣを、伝送信号として、受信側の移動端末１０８または無線基地局１０６へ順に送信し、受信側の移動端末１０８は、送信された伝送信号から得られるフレームＳＣに収容された音声データなどを出力し、音声通話処理を行う。
なお、以下、「受信側の移動端末１０８」および「送信側の移動端末１０８」を、それぞれ「受信移動端末１０８」および「送信移動端末１０８」と記述する。
また、受信移動端末１０８と送信移動端末１０８の２つの移動端末１０８を、「送受信移動端末１０８」と略記することがある。
【００１２】
上述した一般的な無線通信システムにおいて、移動端末１０８−１と移動端末１０８−２のように、送受信移動端末１０８が、ともに同じサービスエリア１１０−１内に存在するときには、そのサービスエリア１１０−１内に存在する無線基地局１０６−１を介して、データを送受信する。
一方、移動端末１０８−２と移動端末１０８−３のように、送受信移動端末１０８の一方が、サービスエリア１１０内に存在しないときや、移動端末１０８−３と移動端末１０８−４のように、送受信移動端末１０８が、サービスエリア１１０のいずれにも存在しないときには、移動端末１０８間で直接、データを送受信する。
また、移動端末１０８は、無線基地局１０６を介して、データ送受信を行うときには、送信周波数ＦＬ、受信周波数ＦＨという異なる周波数を用いる。
また、移動端末１０８は、直接データ送受信を行うときには、送受信ともに同一の周波数Ｆを用いる。
【００１３】
したがって、送受信移動端末１０８が、同じサービスエリア１１０内に存在するときは、送信移動端末１０８は周波数ＦＬでデータ送信し、受信移動端末１０８は周波数ＦＨでデータを受信しなければ、互いに通信することができない。
また、一方の移動端末１０８または双方の移動端末１０８が、サービスエリア外に存在するときは、送信移動端末１０８は周波数Ｆでデータ送信し、受信移動端末１０８は周波数Ｆでデータを受信しなければ、互いに通信することができない。
つまり、移動端末１０８は、通信する相手の存在する位置に応じて、データ送受信に用いる周波数を切り替える必要がある。
【００１４】
したがって、移動端末１０８は、通信を開始した当初同じサービスエリア１１０に存在した相手が、サービスエリア外に移動したときに、明示的な周波数の切り替えを行わないと、途中で通信ができなくなることがある。
また、移動端末１０８は、サービスエリア外に存在する相手と通信を行っているときは、同じサービスエリアに存在する別の移動端末１０８と通信することができない。
そこで、上記課題を解決するためには、送信移動端末１０８は、周波数ＦＬまたはＦのみを用いてデータ送信し、受信移動端末１０８は、周波数ＦＨおよびＦＬ、または、Ｆそれぞれを受信するように構成することで、周波数を切り替えることなく、互いに通信することができればよい。
【００１５】
しかしながら、上述した一般的な無線通信システムにおいては、以下に説明するような課題が生じる。
図１（Ｃ）は、無線基地局１０６からのデータ受信遅延を例示する図である。
無線基地局１０６を介したデータ送受信を行う場合、周波数ＦＬで送信されたデータは、一旦無線基地局１０６で受信され、無線基地局１０６は、受信したデータを周波数ＦＨに変換して送信する処理などを行う。
したがって、無線基地局１０６を介したデータ受信は、無線基地局１０６の経由や、無線基地局１０６によるデータ処理などの時間が必要となるので、図１（Ｃ）に示すように、移動端末１０８から、周波数Ｆで直接データを受信したときに比べて、遅延が生じることがある。
周波数ＦＨと周波数Ｆのうちの一方のデータ受信に遅延が生じると、受信移動端末１０８により受信されたそれぞれのデータが、音声などに変換されて出力されるときに、一方の音声が遅延し、エコーとして出力されるので、音声の聞き取りが困難なことがある。
本発明に係る無線通信システム１は、以上に説明した経緯によりなされたものであり、異なる経路で受信したデータのうち、いずれが最も品質が良いかを、同じ送信順序を示すフレームごとに判定することにより、安定した無線通信を行えるよう改良されている。
【００１６】
［無線通信システム１］
以下、本発明の実施形態として、無線通信システム１を説明する。
図２（Ａ）は、本発明に係る無線通信システム１の構成を例示する図である。
図２（Ａ）に示すように、無線通信システム１は、移動端末２、無線基地局１０６、無線回線制御装置１０４、および、固定端末１０２が、ネットワーク１００を介して接続される。
無線通信システム１は、これらの構成部分を適切に用いて、移動端末２間での安定した無線通信処理を行う。
【００１７】
［ハードウェア構成］
以下、図２（Ａ）に示した移動端末２のハードウェア構成を説明する。
図２（Ｂ）は、図２（Ａ）に示した移動端末２のハードウェア構成を例示する図である。
図２（Ｂ）に示すように、移動端末２は、無線通信回線を介してネットワーク１００と接続される通信処理装置１２０、メモリ１２２、ＣＰＵ１２４、マイクやキーボードなどの入力デバイス１２６、スピーカーや液晶表示画面などの出力デバイス１２８、および、ＨＤＤ・ＣＤ装置などの記録媒体１３２に対してデータの記録を行う記録装置１３０から構成される。
つまり、移動端末２は、情報処理および情報通信が可能な一般的なコンピュータとしての構成部分を有している。
【００１８】
［移動端末プログラム２０］
以下、図２に示した移動端末２において実行される移動端末プログラム２０を説明する。
図３は、図２に示した移動端末２において実行される移動端末プログラム２０の構成を例示する図である。
図３に示すように、移動端末プログラム２０は、送信側移動端末プログラム（図３（Ａ））および受信側移動端末プログラム（図３（Ｂ））から構成される。
送信側移動端末プログラムは、移動端末２が別の移動端末２または固定端末１０２へデータを送信するときに、移動端末２において実行され、受信側移動端末プログラムは、移動端末２が別の移動端末２または固定端末１０２からデータを受信するときに、移動端末２において実行される。
以下、送信側移動端末プログラムおよび受信側移動端末プログラムを、移動端末プログラム２０と総称することがある。
【００１９】
図３（Ａ）に示すように、送信側移動端末プログラムは、操作部２００、表示部２０２、音声コーデック部２０４、制御部２１２、送信処理部２１４および送信部２１６から構成される。
音声コーデック部２０４は、ＡＤ／ＤＡ変換部２０６、音声圧縮処理部２０８および誤り訂正符号化部２１０から構成される。
図３（Ｂ）に示すように、受信側移動端末プログラムは、基地局信号受信部２１８、移動端末信号受信部２２０、基地局信号処理部２２２、移動端末信号処理部２２４、処理信号データベース（ＤＢ）２２６、受信信号選択部２２８および音声コーデック部２０４から構成される。
音声コーデック部２０４は、誤り訂正復号化部２３０、音声伸長処理部２３２およびＡＤ／ＤＡ変換部２０６から構成される。
移動端末プログラム２０は、例えば、メモリ１２２（図２（Ｂ））に記憶されて移動端末２（図２）に供給され、必要に応じて移動端末２にインストールされたＯＳ（図示せず）上で、移動端末２のハードウェア資源を、具体的に利用して実行される。
つまり、移動端末プログラム２０は、これらの構成要素により、別の移動端末２へ送信するデータの処理と、別の移動端末２から受信するデータの処理とを行い、安定した無線通信処理を実現する。
【００２０】
操作部２００は、入力デバイス１２６から、無線通信を行うための操作に関する様々な情報（例えば、チャネル番号の変更、文字メッセージの入力、通話相手の設定、各種機能の設定）を受け入れて、制御部２１２に対して出力する。
表示部２０２は、無線通信についての様々な情報（例えば、移動端末２が選択する無線チャネルの番号、無線通信装置の状態、文字情報、電信電界強度）を、出力デバイス１２８に表示させる。
ＡＤ／ＤＡ変換部２０６は、音声コーデック部２０４に含まれ、入力デバイス１２６から入力されたアナログ信号をデジタル信号に変換して、変換された信号を、音声圧縮処理部２０８に対して出力する。
例えば、ＡＤ／ＤＡ変換部２０６は、マイクなどから入力された音声を、音声デジタルデータに変換する。
また、ＡＤ／ＤＡ変換部２０６は、音声伸長処理部２３２から入力されたデジタル信号をアナログ信号に変換し、出力デバイス１２８へ出力する。
例えば、ＡＤ／ＤＡ変換２０６は、入力された音声デジタルデータを、音声に変換し、スピーカーから出力させる。
【００２１】
音声圧縮処理部２０８は、音声コーデック部２０４に含まれ、ＡＤ／ＤＡ変換部２０６から入力された音声データの圧縮処理を行い、圧縮データを、誤り訂正符号化部２１０に対して出力する。
誤り訂正符号化部２１０は、音声コーデック部２０４に含まれ、音声圧縮処理部２０８から入力された圧縮データを伝送する伝送路で生じる誤りを訂正するために、圧縮データに誤り検出符号を付加し、畳込み符号化処理を行うことにより、誤り訂正符号を生成する。
また、誤り訂正符号化部２１０は、音声圧縮処理部２０８から入力された圧縮データに、生成した誤り訂正符号を付加して、制御部２１２に対して出力する。
【００２２】
制御部２１２は、例えば、誤り訂正符号化部２１０および操作部２００から入力された圧縮データや、無線通信を行うための操作に関する様々な情報を受け入れて、送信処理部２１４への圧縮データ出力処理や、表示部２０２への情報出力処理を行う。
送信処理部２１４は、制御部２１２から入力された圧縮データを、所定の長さ（例えば、４０ｍｓ）のフレームに分割して、分割された各フレームに、フレームの伝送順序を示す送信順序データを付加する。
具体的には、例えば、送信処理部２１４は、畳込み符号化処理を行った後の誤り訂正符号である分割された圧縮データを、フレームＳＣ−１〜ＳＣ−ｎの各ＴＣＨ領域（図１（Ｂ））に、時系列順に収容する。
また、送信処理部２１４は、送信順序データを、フレームＳＣ−１〜ＳＣ−ｎの各ＲＩＣＨ領域（図１（Ｂ））の以下に説明する領域に、送信順に収容する。
【００２３】
図４は、送受信移動端末２の間でデータ送受信に用いられるフレームＳＣのＲＩＣＨ領域の構成を例示する図である。
図４に示すように、ＲＩＣＨは、例えば、７オクテット（５６ｂｉｔ）の領域であり、無線チャネルの構造を示す３ｂｉｔの構造識別子Ｆ、３ｂｉｔの通信モード識別子Ｍおよび３ｂｉｔの動作モード識別子Ｄから構成される。
図４に示すように、送信順序データは、例えば、斜線で示された未定義領域に収容される。
【００２４】
さらに、送信処理部２１４（図３）は、圧縮データおよび送信順序データを収容したフレームＳＣ−１〜ＳＣ−ｎを、送信部２１６に対して出力する。
送信部２１６は、送信処理部２１４から入力されたフレームＳＣ−１〜ＳＣ−ｎを、伝送信号として、別の移動端末２に対して出力する。
または、送信部２１６は、送信移動端末２がサービスエリア１１０（図２（Ａ））のいずれかの範囲内に存在するときは、そのサービスエリア１１０内に存在する無線基地局１０６に対して、フレームＳＣ−１〜ＳＣ−ｎを、伝送信号として出力する。
【００２５】
基地局信号受信部２１８は、無線基地局１０６（図２（Ａ））を介して入力された伝送信号を受け入れて、伝送信号から得られるフレームＳＣ−１〜ＳＣ−ｎを、基地局信号処理部２２２に対して出力する。
移動端末信号受信部２２０は、送信移動端末２から入力された伝送信号を受け入れて、伝送信号から得られるフレームＳＣ−１〜ＳＣ−ｎを、移動端末信号処理部２２４に対して出力する。
基地局信号処理部２２２は、基地局信号受信部２１８から入力されたフレームＳＣそれぞれに収容された圧縮データまたは送信順序データを含むＲＩＣＨ領域のデータのビット誤り率を、フレームＳＣごとに計算する。
また、基地局信号処理部２２２は、計算された各ビット誤り率を、それぞれ対応するフレームＳＣのいずれかの領域（例えば、ＴＣＨ領域（図１（Ｂ））で運ばれた圧縮データに順序番号とともに付加して収容し、ビット誤り率が収容されたフレームＳＣ（以下、「基地局信号フレームＳＣ」と記述する）を、処理信号ＤＢ２２６に対して出力する。
【００２６】
移動端末信号処理部２２４は、移動端末信号受信部２２０から入力されたフレームＳＣそれぞれに収容された圧縮データまたは送信順序データを含むＲＩＣＨ領域のデータのビット誤り率を、フレームＳＣごとに計算する。
また、移動端末信号処理部２２４は、計算された各ビット誤り率を、それぞれ対応するフレームＳＣのいずれかの領域に収容し、ビット誤り率が収容されたフレームＳＣ（以下、「移動端末信号フレームＳＣ」と記述する）を、処理信号ＤＢ２２６に対して出力する。
処理信号ＤＢ２２６は、基地局信号処理部２２２から入力された基地局信号フレームＳＣと、移動端末信号処理部２２４から入力された移動端末信号フレームＳＣを、受信信号選択部２２８が参照可能なように記憶する。
【００２７】
受信信号選択部２２８は、処理信号ＤＢ２２６に記憶された基地局信号フレームＳＣと、移動端末信号フレームＳＣとを参照して、無線基地局１０６を介して入力された信号と、移動端末２から入力された信号のうち、信号品質が良いいずれかの信号から得られたフレームＳＣを選択する。
具体的には、例えば、受信信号選択部２２８は、以下の（１）〜（３）の手順でフレームＳＣを選択する。
（１）基地局信号フレームＳＣおよび移動端末信号フレームＳＣから、同じ送信順序データが収容されているフレームＳＣを選択する。
（２）選択されたフレームＳＣそれぞれに収容されているビット誤り率を比較して、ビット誤り率が低いいずれかのフレームＳＣを、信号品質の高い信号から得られたフレームＳＣとして選択する。
（３）すべてのフレームＳＣについて、上記（１）および（２）の処理を行う。
【００２８】
また、受信信号選択部２２８は、選択された信号品質の高い信号から得られたフレームＳＣを、誤り訂正復号化部２３０に対して出力する。
誤り訂正復号化部２３０は、音声コーデック部２０４に含まれ、受信信号選択部２２８から入力されたフレームＳＣそれぞれに収容された誤り訂正符号を復号化し、フレームＳＣに収容された圧縮データの誤り訂正を行う。
また、誤り訂正復号化部２３０は、誤り訂正が行われた圧縮データを、音声伸長処理部２３２に対して出力する。
音声伸長処理部２３２は、音声コーデック部２０４に含まれ、誤り訂正復号化部２３０から入力された圧縮データの伸長処理を行い、音声データを生成し、生成された音声データを、ＡＤ／ＤＡ変換部２０６に対して出力する。
ＡＤ／ＤＡ変換部２０６は、上述したように、音声伸長処理部２３２から入力された音声デジタルデータを、音声に変換し、スピーカーなどの出力デバイス１２８に対して出力する。
【００２９】
［無線通信システム１の第１の動作例］
以下、無線通信システム１（図２（Ａ））の第１の動作例を説明する。
送信移動端末２は、１つ以上のフレームＳＣそれぞれに、マイクなどから入力された音声データと、無線区間信号フォーマットのビット列に、データフレームの送信順序を示すシーケンス番号を付加した送信順序データを収容して、無線基地局１０６および別の移動端末２（受信移動端末２）に対して、そのフレームＳＣを、伝送信号として周波数ＦＬを用いて送信する。
無線基地局１０６は、送信移動端末２から送信された伝送信号を処理して、別の周波数ＦＨを用いて、受信移動端末２に対して出力する。
受信移動端末２は、無線基地局１０６を介して周波数ＦＨを用いて入力された伝送信号と、送信移動端末２から、周波数ＦＬを用いて直接入力された伝送信号とを受信する。
【００３０】
受信移動端末２は、受信した無線基地局１０６および送信移動端末２からの伝送信号から得られたフレームＳＣそれぞれの音声データおよび送信順序データ、またはこれらのいずれかのビット誤り率を計算する。
続いて、受信移動端末２は、無線基地局１０６および送信移動端末２からの伝送信号から得られたフレームＳＣそれぞれから、同じ送信順序データを収容するフレームＳＣを選択する。
さらに、受信移動端末２は、選択されたフレームＳＣのうち、それぞれのフレームＳＣに収容されたビット誤り率が低いほうを、信号品質の良い伝送信号から得られるフレームＳＣとして選択する。
最終的に、受信移動端末２は、信号品質の良い伝送信号から得られるフレームＳＣに収容された音声データを音声処理して、音声をスピーカーなどに出力させる。
【００３１】
［無線通信システム１の第２の動作例］
以下、無線通信システム１の第２の動作例を説明する。
図５は、図３（Ｂ）の受信側移動端末プログラム２０の構成に、信号受信部２３４が追加されたプログラムの構成を例示する図である。
信号受信部２３４は、空中線共用器を介して、無線基地局１０６からの伝送信号を受け入れて、基地局信号受信部２１８に対して出力する。
また、信号受信部２３４は、空中線共用器を介して、送信移動端末２からの伝送信号を受け入れて、移動端末信号受信部２２０に対して出力する。
空中線共用器は、複数の送信装置（例えば、無線基地局１０６および送信移動端末２）からの伝送信号を、１本の共用アンテナを使用して受信するための装置である。
したがって、図５に示す構成によれば、基地局信号受信部２１８および移動端末信号受信部２２０が、それぞれ無線基地局１０６および移動端末２からの信号を、別々のアンテナにより受信する（図３（Ｂ））代わりに、１本の共用アンテナにより受信することもできる。
【００３２】
［無線通信システム１の特徴］
以下、無線通信システム１の特徴を説明する。
以上説明したように、無線通信システム１において、移動端末２は、直接、および、無線基地局１０６を介して入力された伝送信号の両方を受信するので、伝送信号の伝送経路を考慮して、データの送受信に用いる周波数を切り替える必要がない。
つまり、移動端末２は、相手が同じサービスエリア内に存在するか否かに関わらず、常に相手と通信することができる。
【００３３】
また、移動端末２は、周波数ＦＨとＦＬの遅延の位相を合わせるために、同じ送信順序データを収容するフレームのビット誤り率を比較して、信号品質の良い伝送信号から得られるフレームを選択するので、両方のフレームに収容された音声データから音声を出力する必要がない。
つまり、無線基地局１０６を介したことによる、データの受信遅延の影響で、無線基地局１０６を介して受信した音声が、直接移動端末２から受信した音声よりも遅延し、エコーとして出力され、音声の聞き取りが困難になることを回避することができる。
また、受信側の移動端末２が、空中線共用器を介して、無線基地局１０６および移動端末２からの伝送信号を受信することもできるので、１本の受信アンテナで、無線通信システム１による無線通信処理を実現することもできる。
【符号の説明】
【００３４】
１・・・無線通信システム、２・・・移動端末、１００・・・ネットワーク、１０２・・・固定端末、１０４・・・無線回線制御装置、１０６・・・無線基地局、１０８・・・一般的な無線装置システムの移動端末、１１０・・・サービスエリア、１２０・・・通信処理装置、１２２・・・メモリ、１２４・・・ＣＰＵ、１２６・・・入力デバイス、１２８・・・出力デバイス、１３０・・・記録装置、１３２・・・記録媒体、２００・・・操作部、２０２・・・表示部、２０４・・・音声コーデック部、２０６・・・ＡＤ／ＤＡ変換部、２０８・・・音声圧縮処理部、２１０・・・誤り訂正符号化部、２１２・・・制御部、２１４・・・送信処理部、２１６・・・送信部、２１８・・・基地局信号受信部、２２０・・・移動端末信号受信部、２２２・・・基地局信号処理部、２２４・・・移動端末信号処理部、２２６・・・処理信号ＤＢ、２２８・・・受信信号選択部、２３０・・・誤り訂正復号化部、２３２・・・音声伸長処理部、２３４・・・信号受信部
【図２】
2010263339.tif 000003
【図３】
2010263339.tif 000004
【図４】
2010263339.tif 000005
【図５】
2010263339.tif 000006
【図１】
2010263339.tif 000007